(57)【要約】【課題】レンズ駆動に起因する光ピックアップ系の共振を阻止することができる光ピックアップを提供することを目的とする。【解決手段】光ピックアップの光学ベースに組み込まれるヨーク１０の形状を、外周側に延びた延長部１１を設けたものとする。この延長部１１により、ヨーク１０の重量を増加させることができ、その振動を抑制することができる。その結果、光ピックアップ系の共振を防止する事が出来、トラック追従性能を向上させることができる。【選択図】図１
2005310279.tif 000002
【特許請求の範囲】
【請求項１】
対物レンズを保持するレンズホルダーと、ゲルホルダーと、前記ゲルホルダーに設けられたプリント基板と、前記プリント基板の左右両側から上下方向に間隔をおいて延びて、他端が前記レンズホルダーに取り付けられたフォーカス方向及びトラッキング方向に駆動させるコイル基板に固着された複数本のサスペンションワイヤと、前記コイル基板に磁界を与えるマグネットと、前記マグネットが取り付けられているヨークとからなり、前記ゲルホルダーとヨークが光学ベースに固定されている光ピックアップであって、
前記ヨークが重量添加のために外側方向に延びていることを特徴とする光ピックアップ。
【請求項２】
前記ヨークが重量添加のために外側方向に延び、かつ外周上に形成されたことを特徴とする請求項１記載の光ピックアップ。
【請求項３】
前記ヨークが重量添加のために外側方向に延び、かつ折り重なっていることを特徴とする請求項１記載の光ピックアップ。
【発明の詳細な説明】
【技術分野】
【０００１】
本発明は、ディスクにレーザ光を投影して、情報信号の記録再生を行う光学式ディスク再生装置に用いる光ピックアップに関するものである。
【背景技術】
【０００２】
従来技術として例えば、重量（ウェイト）をフレームに搭載した構成の光ピックアップが特許文献１に開示されている。
【０００３】
以下に本発明を説明するベースとなる従来の光ピックアップについて説明する。
【０００４】
図４は、従来、一般に用いられている光ピックアップの構成を示す斜視図である。図５は、図４の要部（ヨーク４８）を示す要部拡大斜視図である。
【０００５】
図中、対物レンズ４１はレンズホルダー４２に固定されている。レンズホルダー４２にはフォーカス方向及びトラッキング方向駆動させるコイル基板４３が取り付けられている。コイル基板４３には電気を供給するための半田付け部が構成されており、レンズホルダー４２に固着されたコイル基板４３の半田付け部には４本のサスペンションワイヤ４４ａ〜４４ｄが半田付けにより固定され、サスペンションワイヤ４４ａ〜４４ｄの他端はゲルホルダー４５に固定されたプリント基板４６に半田付けにより保持されている。２個の永久磁石４７ａ，４７ｂは、コイル基板４３を挟むように、ヨーク４８に固着されている。ヨーク４８は光学ベース４９の底面部に固着されている。光学ベース４９には重量添加のための別部品４０が組込まれている。この別部品４０は、レンズ駆動に起因する振動により発生する共振を防止するものである。
【特許文献１】特開平１０−３１８３０号公報
【発明の開示】
【発明が解決しようとする課題】
【０００６】
しかしながら上記従来の構成に於いて、光ピックアップ系の共振を防止するための別部品の組込みは、効率的な量産性を阻害するという問題点があった。
【０００７】
本発明は上記従来の問題点を解決するもので、効率的な量産性を阻害する成形工法によらない光ピックアップ系の共振を阻止することができる光ピックアップを提供する事を目的とする。
【課題を解決するための手段】
【０００８】
この目的を達成するために本発明の光ピックは、対物レンズを保持するレンズホルダーと、ゲルホルダーと、ゲルホルダーに設けられたプリント基板と、プリント基板の左右両側から上下方向に間隔をおいて延びて、他端がレンズホルダーに取り付けられたフォーカス方向及びトラッキング方向に駆動させるコイル基板に固着された複数本のサスペンションワイヤと、コイル基板に磁界を与えるマグネットと、マグネットが取り付けられているヨークからなり、ゲルホルダーとヨークが光学ベースに固定されている光ピックアップであって、ヨークが外周側に延びて重量増加になっている。この構成によりレンズ駆動からくる光ピック系の共振を阻止することができる。
【発明の効果】
【０００９】
以上のように本発明は、レンズ駆動を起因とする光ピックアップ系の共振を阻止することが出来、効率的な量産性を可能にするという優れた効果が得られる。
【発明を実施するための最良の形態】
【００１０】
以下、本発明の実施の形態について、図１から図３を用いて説明する。
【００１１】
（実施の形態１）
図１は、本発明の実施の形態１における光ピックアップの要部を示す斜視図である。図１は、本実施の形態１に直接関係しない構成は省略して記載し、それ以外の構成は図４に示した光ピックアップの構成と同一である。
【００１２】
図１において、１０はヨークである。１１はヨーク１０が延長された部分である。即ち、ヨーク４８の構成を変え、重量添加のために外側方向に延びている構成としている。
【００１３】
ここで、図１に示すヨーク１０の延長部１１を、図４に示した光学ベース４９に納めるように組み込み固着する。このことにより光ピックアップ系の慣性モーメントが増加し、レンズ駆動に起因する系の共振を阻止する事が出来る。
【００１４】
（実施の形態２）
図２は、本発明の実施の形態２における光ピックアップの要部を示す斜視図である。図２は、本実施の形態２に直接関係しない構成は省略して記載し、それ以外の構成は図４に示した光ピックアップの構成と同一である。
【００１５】
図２において、１２はヨーク１０に延長された部分である。即ち、ヨーク４８の構成を変え、重量添加のために外側方向に延びている構成とし、更に、外周上に形成された構成としている。
【００１６】
ここで、図２に示すヨーク１０の延長部１２を、図４に示した光学ベース４９に組み込み固着する。このことにより光ピックアップ系の慣性モーメントが増加し、レンズ駆動に起因する系の共振を阻止する事が出来る。
【００１７】
（実施の形態３）
図３は、本発明の実施の形態３における光ピックアップの要部を示す斜視図である。図３は、本実施の形態３に直接関係しない構成は省略して記載し、それ以外の構成は図４に示した光ピックアップの構成と同一である。
【００１８】
図３において、１３はヨーク１０に延長された部分である。即ち、ヨーク４８の構成を変え、重量添加のために外側方向に延びている構成とし、更に、折り重なっている構成としている。
【００１９】
ここで、図３に示すヨーク１０の延長部１３を、図４に示した光学ベース４９に組み込み固着する。このことにより光ピックアップ系の慣性モーメントが増加し、レンズ駆動に起因する光ピックアップ系の共振を阻止する事が出来る。
【００２０】
以上のように、本発明の各実施の形態によれば、光ピックアップの光学ベース４９に組み込まれるヨーク１０に、外周側に延びた延長部１１、１２または１３を設ける。この延長部１１、１２または１３により、ヨーク１０の重量を増加させることができ、その振動を抑制することができる。その結果、光ピックアップ系の共振を防止する事が出来、トラック追従性能を向上させることができる。
【００２１】
また、延長部１１〜１３の形状を工夫することで、添加する重量を変更したり、組み込み作業の容易性を向上させたりすることができる。
【産業上の利用可能性】
【００２２】
本発明にかかる光ピックアップは、ヨークの重量増加と組み込み易い構成とすることで、レンズ駆動に起因する光ピックアップ系の共振を阻止することが出来、効率的な量産性を可能にするという優れた効果が得られることを有し、ディスクにレーザ光を投影して情報信号の記録再生を行う光学式ディスク再生装置、記録装置、記録再生装置等として有用である。
【図面の簡単な説明】
【００２３】
【図１】本発明の実施の形態１における光ピックアップの要部構成を示す斜視図
【図２】同実施の形態２における光ピックアップの要部構成を示す斜視図
【図３】同実施の形態３における光ピックアップの要部構成を示す斜視図
【図４】従来の光ピックアップの概略構成を示す斜視図
【図５】従来の光ピックアップの要部構成を示す斜視図
【符号の説明】
【００２４】
１０    ヨーク
１１〜１３    延長部
【図１】
2005310279.tif 000003
【図２】
2005310279.tif 000004
【図３】
2005310279.tif 000005
【図４】
2005310279.tif 000006
【図５】
2005310279.tif 000007